(57)【要約】【課題】２枚重ねとなったディスクが記録再生装置の内部に誤挿入されることを抑制した記録再生装置を提供する。【解決手段】記録再生装置１の外観を形成する本体フレーム２の前部に開口部３を形成し、開口部３から搬入及び搬出されるディスクトレイ４を備える。ディスクトレイ４の搬入完了時に、開口部３を閉じる閉塞部１２をディスクトレイ４の先端側に形成する。２枚重ねとなったディスクＤ，Ｄの載置されたディスクトレイ４が、開口部３から本体フレーム内２に搬入される際、２枚のディスクＤ，Ｄの内の上部に重ねられた一方のディスクＤが、本体フレーム２に一体に形成したリブ５に接触することで、前記一方のディスクＤが本体フレーム２内に誤挿入されることを抑制する。【選択図】図２
2008059667.tif 000002
【特許請求の範囲】
【請求項１】
外観を形成する本体フレームの前部に開口部を形成し、この開口部から搬入及び搬出されるディスクトレイを備え、このディスクトレイの搬入完了時に、前記開口部を前記ディスクトレイの先端側に形成した閉塞部で閉塞する記録再生装置であって、２枚重ねのディスクの載置されたディスクトレイが、前記開口部から前記本体フレーム内に搬入される際、前記２枚のディスクの内の上部に重ねられた一方のディスクと接触することにより前記本体フレーム内に誤挿入されることを抑制するリブを、前記本体フレームに設けたことを特徴とするディスク誤挿入防止構造を備えた記録再生装置。
【請求項２】
前記リブ及び前記本体フレームの材質は合成樹脂であり、前記本体フレームと前記リブとを一体に成形したことを特徴とする請求項１記載のディスク誤挿入防止構造を備えた記録再生装置。
【請求項３】
前記リブにより前記一方のディスクが前記本体フレーム内に誤挿入されることが抑制された際、前記本体フレーム内に搬入の抑制された前記ディスクのデータ記録面と、前記閉塞部とが当接しないように、平板状の前記ディスクに対し前記閉塞部の上部を凹状に形成したことを特徴とする請求項１又は２記載のディスク誤挿入防止構造を備えた記録再生装置。
【請求項４】
前記リブにより前記一方のディスクが前記本体フレーム内に誤挿入されることが抑制された際、前記本体フレーム内に搬入の抑制された前記ディスクのデータ記録面と、前記閉塞部とが当接しないように、平板状の前記ディスクに対し前記閉塞部の上部を略Ｖ字状に形成したことを特徴とする請求項１又は２記載のディスク誤挿入防止構造を備えた記録再生装置。
【発明の詳細な説明】
【技術分野】
【０００１】
本発明は、ＣＤやＤＶＤなどの記録媒体たるディスクに情報を記録することができ、且つこの記録された情報を再生することが可能な記録再生装置に関し、詳しくは、偶発的に２枚重ねとなったディスクが、ディスクトレイにより記録再生装置の内部に搬送されるような事態に、２枚のディスクが共に記録再生装置の内部へと誤挿入されることを抑制可能としたディスク誤挿入防止構造を備えた記録再生装置に関する。
【背景技術】
【０００２】
従来、装置の内外に進退するディスクトレイを備えた記録再生装置は、この記録再生装置の本体フレームに対して摺動可能にディスクトレイが組み付けられており、本体フレームの内部に取り付けたモータの駆動力をギアやプーリーなどの伝達機構を介して、前記ディスクトレイに載置されたディスクを装置内部のディスクの記録再生を行う記録再生位置へと搬送する、いわゆるトレイローディングを採用した記録再生装置が提案されている。こうした記録再生装置の内部には、ディスクトレイと共に搬入されたディスクの情報を読み込み再生したり、或いは前記ディスクに情報を書き込み記録するためのピックアップユニット、ターンテーブルなどの部品を組み合わせたトラバースユニットなど種々の主要部品が構成されている。
【０００３】
前記記録再生装置においては、ユーザーが誤ってディスクトレイに２枚のディスクを重ねた状態で載置してしまうと、２枚重なった状態のままで前記ディスクトレイが装置内部へと搬送されてしまい、２枚の内の一方の上部に重ねられたディスクが記録再生装置内の種々の部材と接触してしまい、そのディスクの記録面やディスクと接触した記録再生装置内の部材も損傷することがあり、また、２枚のディスクが重なっていることでターンテーブルが円滑に回転できなくなったり、ターンテーブルによるディスクの押さえが効かなくなってしまったりするなど動作の不具合に至ってしまうことがあり、その場合には、ディスクの記録或いは再生時に本来の適切な情報の収集が困難となり、記録再生装置としての品位が低下するといった問題を有していた。
【０００４】
前述した従来技術に関連するものとして特許文献１には、ディスクが２枚重なった状態で、ディスクトレイによりディスク装置内にローディング（搬入）されたディスクがターンテーブルで受け取られ、ディスクトレイから浮き上げられた際、ターンテーブルが２枚のディスクを受け取ったことを機械的に検出する枚数判別手段としてのプッシュスイッチを備え、このプッシュスイッチにより、ユーザーがディスクトレイに複数のディスクを誤って載置したことを検出させることで、ディスクをアンローディング（搬出）させたり、ディスク装置の動作を停止させる構造を採用したディスク装置が開示されている。
【０００５】
【特許文献１】特開２００６−１７２５５９号公報
【発明の開示】
【発明が解決しようとする課題】
【０００６】
特許文献１では、２枚のディスクがディスク装置に誤挿入されるといった不具合をプッシュスイッチで検出することで、２枚からのディスクの誤挿入を未然に回避することは可能ではあるものの、２枚のディスクの誤挿入を防ぐための手段としては、電気的に切り替えを行なうプッシュスイッチを使用するため、部品点数が増えてしまいコストパフォーマンスが低下してしまうといった課題を有していた。また、プッシュスイッチがＯＦＦ可能な範囲等の高さ方向におけるバラツキの発生要因が大きく、確実にすることが出来ない虞がある。
【０００７】
本案件は上述した課題に鑑みてなされたものであり、記録再生装置の内部に２枚のディスクが重なった状態で誤挿入されそうになった際、この誤挿入に伴うディスクの記録面に傷が付くといった不具合を解消することができると共に、部品点数の増加を抑えることで、コストパフォーマンスを向上させたディスク誤挿入防止構造を備えた記録再生装置を提供することを目的とする。
【課題を解決するための手段】
【０００８】
本発明の請求項１のディスク誤挿入防止構造を備えた記録再生装置は、外観を形成する本体フレームの前部に開口部を形成し、この開口部から搬入及び搬出されるディスクトレイを備え、このディスクトレイの搬入完了時に、前記開口部を前記ディスクトレイの先端側に形成した閉塞部で閉塞する記録再生装置であって、２枚重ねのディスクの載置されたディスクトレイが、前記開口部から前記本体フレーム内に搬入される際、前記２枚のディスクの内の上部に重ねられた一方のディスクと接触することにより前記本体フレーム内に誤挿入されることを抑制するリブを、前記本体フレームに設けたことを特徴とする。
【０００９】
請求項１の構成により、ディスクトレイの搬入動作に伴い、誤って２枚重ねた状態のディスクがディスクトレイによって開口部から本体フレーム内に搬入される際、２枚のディスクの内の上部に重ねられた一方のディスクがリブに接触して、本体フレーム内にディスクが誤挿入されることを抑止することが可能となる。
【００１０】
本発明の請求項２のディスク誤挿入防止構造を備えた記録再生装置は、請求項１記載のディスク誤挿入防止構造を備えた記録再生装置において、前記リブ及び前記本体フレームの材質は合成樹脂であり、前記本体フレームと前記リブとを一体に成形したことを特徴とする。
【００１１】
請求項２の構成により、外観を形成する本体フレームにリブを金型で一体成形することでコストを安価に抑えることができると共に２枚のディスクの内の上部に重ねられた一方のディスクがリブに接触して、本体フレーム内にディスクの全体が誤挿入されることを抑えることができる。
【００１２】
本発明の請求項３のディスク誤挿入防止構造を備えた記録再生装置は、請求項１又は２記載のディスク誤挿入防止構造を備えた記録再生装置において、前記リブにより前記一方のディスクが前記本体フレーム内に誤挿入されることが抑制された際、前記本体フレーム内に搬入の抑制された前記ディスクのデータ記録面と、前記閉塞部とが当接しないように、平板状の前記ディスクに対し前記閉塞部の上部を凹状に形成したことを特徴とする。
【００１３】
請求項３の構成により、平板状の前記ディスクに対して閉塞部の上部を凹状に形成したので、例えば、２枚のディスクの内の上部に重ねられた一方のディスクのデータ記録面が下側に配置されていたとしても、一方のディスクのデータ記録面が閉塞部に接触するのではなく、一方のディスクの周縁部のみが閉塞部と接触するので、前記一方のディスクのデータ記録面が傷付くことを未然に回避することが可能となる。
【００１４】
本発明の請求項４のディスク誤挿入防止構造を備えた記録再生装置は、請求項１又は２記載のディスク誤挿入防止構造を備えた記録再生装置において、前記リブにより前記一方のディスクが前記本体フレーム内に誤挿入されることが抑制された際、前記本体フレーム内に搬入の抑制された前記ディスクのデータ記録面と、前記閉塞部とが当接しないように、平板状の前記ディスクに対し前記閉塞部の上部を略Ｖ字状に形成したことを特徴とする。
【００１５】
請求項４の構成により、平板状の前記ディスクに対して閉塞部の上部を略Ｖ字状に形成したので、例えば、２枚のディスクの内の上部に重ねられた一方のディスクのデータ記録面が下側に配置されていたとしても、一方のディスクのデータ記録面が閉塞部に接触するのではなく、一方のディスクの周縁部のみが閉塞部と接触するので、前記一方のディスクのデータ記録面が傷付くことを未然に回避することが可能となる。
【発明の効果】
【００１６】
請求項１のディスク誤挿入防止構造を備えた記録再生装置によれば、外観を形成する本体フレームの前部に開口部を形成し、この開口部から搬入及び搬出されるディスクトレイを備え、このディスクトレイの搬入完了時に、前記開口部を前記ディスクトレイの先端側に形成した閉塞部で閉塞する記録再生装置であって、２枚重ねのディスクの載置されたディスクトレイが、前記開口部から前記本体フレーム内に搬入される際、前記２枚のディスクの内の上部に重ねられた一方のディスクと接触することにより前記本体フレーム内に誤挿入されることを抑制するリブを前記本体フレームに設けたので、ユーザーの誤操作等に起因して２枚重ねのディスクが開口部から本体フレーム内に搬入される際、本体フレーム内にディスクの全体が誤挿入され、ディスクや本体フレーム内の種々の部材や部品が傷付いてしまったり、故障することを防止することができ、品質向上を図ることができる。
【００１７】
請求項２のディスク誤挿入防止構造を備えた記録再生装置によれば、請求項１記載のディスク誤挿入防止構造を備えた記録再生装置において、前記リブ及び前記本体フレームの材質は合成樹脂であり、前記本体フレームと前記リブとを一体に成形したものである。これにより、コストを安価に抑えることができる。より詳しくは、従来のように２枚重ねとなっているディスクの誤挿入を、機械的な枚数判別手段としてのプッシュスイッチを用いずに、本体フレームと共に合成樹脂で一体に成形したリブで実現することで、部品点数を増やすことなく、且つ複雑な構造を有さずに済むので、コストを安価に抑え、故障を可及的に抑えた記録再生装置を提供することができる。
【００１８】
請求項３のディスク誤挿入防止構造を備えた記録再生装置によれば、請求項１又は請求項２記載のディスク誤挿入防止構造を備えた記録再生装置において、前記リブにより前記一方のディスクが前記本体フレーム内に誤挿入されることが抑制された際、前記本体フレーム内に搬入の抑制された前記ディスクのデータ記録面と、前記閉塞部とが当接しないように、平板状の前記ディスクに対し前記閉塞部の上部を凹状に形成したものであり、本体フレームの閉塞部に一方のディスクのデータ記録面が接触することを未然に防止することが可能となる。
【００１９】
請求項４のディスク誤挿入防止構造を備えた記録再生装置によれば、請求項１又は請求項２記載のディスク誤挿入防止構造を備えた記録再生装置において、前記リブにより前記一方のディスクが前記本体フレーム内に誤挿入されることが抑制された際、前記本体フレーム内に搬入の抑制された前記ディスクのデータ記録面と、前記閉塞部とが当接しないように、平板状の前記ディスクに対し前記閉塞部の上部を略Ｖ字状に形成したものであり、本体フレームの閉塞部に一方のディスクのデータ記録面が接触することを未然に防止することが可能となる。
【発明を実施するための最良の形態】
【００２０】
以下、本発明を実施するための最良の形態としての実施例を説明する。もちろん、本発明は、その発明の趣旨に反さない範囲で、実施例において説明した以外のものに対しても容易に適用可能なことは説明を要するまでもない。
【００２１】
図１は記録再生装置を示す正面図、図２は記録再生装置を示す平面図、図３は記録再生装置を示す側面図、図４は記録再生装置を側面から視た状態を示す断面図、図５は本体フレームを示す斜視図、図６はディスクトレイを示す斜視図であり、図２〜図４ではディスクトレイに載置された２枚の重ねられたディスクが、記録再生装置内に搬入されるのを抑制した状態を示している。
【００２２】
記録再生装置１の外観を形成する本体フレーム２は、その前部に矩形型の開口部３が形成されており、この開口部３から、記録再生装置１の内外へとディスクトレイ４が搬送されるようになっており、本実施例における記録再生装置１はいわゆるトレイローディング式である。
【００２３】
本体フレーム２は、合成樹脂により形成された部材であり、その開口部３の各両端部近傍にリブ５が一体に成形されている。
【００２４】
本体フレーム２内には、一般的な記録再生装置の構造と同様に、図示しない駆動手段たるモータが組み付けされており、同じく図示しない複数のギアなどからなる駆動伝達機構を介して、前記モータの回転に連動してディスクトレイ４が前後（図４に示す左右）に進退されるようになっている。
【００２５】
ディスクトレイ４は、平板状でデータの記録される記録媒体たるディスクＤを水平に載置するための凹状のディスク載置部１１が形成されており、ディスクトレイ４の搬出時にディスク載置部１１の上面に載置されたディスクＤは、ディスクトレイ４が搬入されることで、記録再生装置１の内部、すなわち本体フレーム２内に搬入されるようになっている。
【００２６】
また、ディスクトレイ４の先端側には、本体フレーム２の開口部３を閉じる閉塞部１２が形成されており、閉塞部１２がディスクトレイ４の搬入完了時に開口部３を閉塞する。さらに、閉塞部１２の上部は、図６に示すように、その両端側が中心側より高くなるように、略Ｖ字型に形成されている。なお、本実施例では閉塞部１２の上部を略Ｖ字型に形成した場合で説明を続けるが、本案件はこれに限定するものではなく、後述するように、閉塞部１２の上部とディスクＤのデータ記録面とが接触しない形状であれば、閉塞部１２の上部の形状を、略Ｖ字型に代えて凹状とするなど適宜選定しても良く、凹状の閉塞部１２の上部は、滑らかな曲線状であっても良い。
【００２７】
本体フレーム２には、前述したように前記開口部３の両端部のそれぞれの近傍に一対の凸状のリブ５が一体に形成されている。このリブ５は、図５に示すように、本体フレーム２の側壁部内側に相互に対向する位置に形成されており、２つのリブ５の間隔は、１１９．７ｍｍ未満となっており、より詳しくは、本実施例における記録再生装置１でディスクトレイ４に１枚のディスクＤが載置された際に記録再生可能なディスクＤの形状は、ドーナッツ型となっており、その片面及び周縁部には、データを記録するための部分（データ記録面）は有しては無く、その大きさの規格は、直径が１１９．７ｍｍ以上１２０．３ｍｍ以下となっていると共に厚さが１．１ｍｍ以上１．５ｍｍ以下となっていることから、ディスクトレイ４のディスク載置面１１の上方の１．５ｍｍを超える箇所にリブ５が形成され、搬出されたディスクトレイ４に偶発的に２枚重ねられたディスクＤ，Ｄが載置された状態で、これらディスクＤ，Ｄが本体フレーム２内に搬入される際に、図２に示すように、２枚重ねの内の上部に配置された一方のディスクＤの周縁部の一部がリブ５に接触され、ディスクトレイ４の搬入時に前記一方のディスクＤが本体フレーム２内に誤挿入されることを抑制することができる。
【００２８】
次に、ディスクトレイ４が本体フレーム２内に搬送される一例について説明する。ユーザーが搬出されたディスクトレイ４のディスク載置部１１に１枚のディスクＤを載置した際には、何ら弊害なくディスクＤは本体フレーム２内の所定位置に搬入される一方で、ユーザーが誤って２枚重ねとなったディスクＤ，Ｄを搬出されたディスクトレイ４のディスク載置部１１に載置した状態で、ディスクトレイ４の搬入のための操作が行なわれると、ディスクトレイ４が、図示しないモータの駆動により駆動伝達機構を介して本体フレーム２内に搬入されていく。そして、２枚重ねとなっているディスクＤ，Ｄの内の上方に配置されている一方のディスクＤは、図２〜図４に示すように、ディスクトレイ４の搬入動作に伴いリブ５に接触され、前記上方に配置された一方のディスクＤの全てが本体フレーム２内に誤まって挿入されることが阻止される。この場合、リブ５に接触されている上方に配置された一方のディスクＤは、ディスクＤの記録面が傷付かないよう、リブ５とディスクＤの周縁部の一部とが接触され、一方のディスクＤの記録面などが傷付くことを防止することができる。
【００２９】
続いてさらに、リブ５に一方のディスクＤの周縁部が接触された状態を維持しながら、さらにディスクトレイ４が搬入され続けると、開口部を閉じるための閉塞部１２に、上方に配置された一方のディスクＤにおいて、データの記録されている下面側のデータ記録面が接触してしまい、一方のディスクＤのデータ記録面が傷付く懸念があるものの、閉塞部１２と、この閉塞部１２と臨むデータ記録面とが接触することが無いよう、閉塞部１２の上部をＶ字型の曲線状に形成しているため、ディスクトレイ４の搬入動作に伴い、一方のディスクＤが閉塞部の上部に乗り上げたとしても、このディスクＤの周縁部が閉塞部１２に接触して、ディスクＤのデータ記録面などが閉塞部１２に接触することを防止でき、より一層ディスクＤのデータ記録面などが傷付くことを防止することができる。さらに、従来のように、２枚重ねとなっているディスクの誤挿入を、機械的な枚数判別手段としてのプッシュスイッチを用いずに、本体フレーム２と共に一体に成形可能な合成樹脂により形成したので、部品点数を増やすことなく、さらに複雑な構造を有さずに済むので、コストを安価に抑えることができる。
【００３０】
以上のように本実施例における記録再生装置１によれば、２枚重ねのディスクＤ，Ｄの載置されたディスクトレイ４が、開口部３から本体フレーム２内に搬入される際、２枚のディスクＤ，Ｄの内の上部に重ねられた一方のディスクＤとリブ５とが接触することで、前記一方のディスクＤの全体が、本体フレーム２に一体に形成したリブ５により本体フレーム２内に誤挿入されることを抑制するように構成したものである。これにより、ディスクトレイ４の搬入動作に伴い、２枚重ねのディスクＤ，Ｄが開口部３から本体フレーム２内に搬入される際に、２枚のディスクＤ，Ｄの内の上部に重ねられた一方のディスクＤがリブ５と接触し、この一方のディスクＤの全体が本体フレーム２内に誤挿入されることを確実に抑止することが可能となる。従って、２枚重ねの内の一方のディスクＤの全体が偶発的に本体フレーム２内に誤挿入され、この誤挿入された一方のディスクＤと本体フレーム２内の種々の部材や部品が接触して相互に傷付いてしまったり、故障することを防止することができ品質向上を図ることができる。
【００３１】
さらに、リブ５及び本体フレーム２の材質は合成樹脂であり、本体フレーム２とリブ５とを別体ではなく射出成形機で一体に成形したものである。よって、外観を形成する本体フレーム２に、射出成形機に構成される金型などによりリブ５を一体に成形することでコストを安価に抑えることができると共に２枚のディスクＤ，Ｄの内の上部に重ねられた一方のディスクＤがリブ５に接触して、本体フレーム２内に前述した一方のディスクＤの全体が誤挿入されることを抑えることができる。従って、従来のように２枚重ねとなっているディスクの誤挿入を、機械的な枚数判別手段としてのプッシュスイッチを用いずに、本体フレーム２と共に合成樹脂で一体に成形したリブ５で実現することで、部品点数を増やすことなく、且つ複雑な構造を有さずに済むので、コストを安価に抑え且つ故障を可及的に抑えた記録再生装置１を提供することができる。
【００３２】
さらに、リブ５により一方のディスクＤが本体フレーム２内に誤挿入されることが抑制された際、本体フレーム２内に搬入の抑制された一方のディスクＤのデータ記録面と、閉塞部１２とが接触しないように、平板状のディスクＤ，Ｄに対し、閉塞部１２の上部を凹状若しくは略Ｖ字状に形成したので、例えば、２枚のディスクＤ，Ｄの内の上部に重ねられた一方のディスクＤのデータ記録面が下側に配置されていたとしても、この一方のディスクＤのデータ記録面が閉塞部１２と接触するのではなく、一方のディスクＤの周縁部と閉塞部１２とが接触するので、一方のディスクＤのデータ記録面が傷付くことを未然に回避できる。
【図面の簡単な説明】
【００３３】
【図１】本発明の一例における記録再生装置を示す正面図である。
【図２】同上、記録再生装置を示す平面図である。
【図３】同上、記録再生装置を示す側面図である。
【図４】同上、記録再生装置を側面から視た状態を示す断面図である。
【図５】同上、本体フレームを示す斜視図である。
【図６】同上、ディスクトレイを示す斜視図である。
【符号の説明】
【００３４】
１  記録再生装置
２  本体フレーム
３  開口部
４  ディスクトレイ
５  リブ
１２  閉塞部
Ｄ  ディスク
【図１】
2008059667.tif 000003
【図２】
2008059667.tif 000004
【図３】
2008059667.tif 000005
【図４】
2008059667.tif 000006
【図５】
2008059667.tif 000007
【図６】
2008059667.tif 000008